【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
無線通信システムにおける制御情報を送信する方法であって、
Ｍ２Ｍデバイスにおいて、暗号化メッセージ認証コード（ＣＭＡＣ）に基づいて制御情報を認証するためのキーを生成するステップと、
前記Ｍ２Ｍデバイスにおいて、前記キーで保護された制御情報を送信するステップとを含むことを特徴とする方法。
【請求項２】
前記制御情報は、非正常的パワーダウンシグナリングヘッダであることを特徴とする請求項１に記載の方法。
【請求項３】
前記キーを生成するステップは、
フレームナンバに対するロールオーバカウンタ（ＲＯＣ）の８ビットのうち３最下位ビット（ＬＳＢ）を使用して前記キーを生成するステップを含むことを特徴とする請求項２に記載の方法。
【請求項４】
前記ＣＭＡＣに基づいて生成された同一キーを使用してフレーム当たり一つの非正常的パワーダウンシグナリングヘッダを送信するステップをさらに含むことを特徴とする請求項２に記載の方法。
【請求項５】
前記非正常的パワーダウンシグナリングヘッダは、
前記非正常的パワーダウンシグナリングヘッダが保護されるか否かを指示する１ビットと、前記非正常的パワーダウンシグナリングヘッダを受信したフレームナンバのカウンタを指示する３ビットと、前記ＣＭＡＣを指示する第３のフィールドとを含むことを特徴とする請求項２に記載の方法。
【請求項６】
前記キーは、ＴＥＫプレキー、ＣＭＡＳＩＧ及び前記キーの長さに基づいてＤｏｔ１６ＫＤを使用して生成され、
前記ＴＥＫプレキーは、認証キー（ＡＫ）、前記Ｍ２Ｍデバイスの署名であるＣＭＡＣＩＧ、及び前記キーの長さ１２８ビットから導出されることを特徴とする請求項２に記載の方法。
【請求項７】
前記ＣＭＡＣは下記の数式によって生成され、
CMAC value = Truncate (CMAC (CMAC_SIG_KEY_U, AKID | 22 bits super frame number | 2 bits frame index | STID |FID | counter value | 16 bits zero padding | signaling header content), 16)、
ここで、ＣＭＡＣ＿ＳＩＧ＿ＫＥＹ＿Ｕは、前記キーであり、ＡＫＩＤはＡＫ識別子であり、ＦＩＤはフロー識別子であり、ＳＴＩＤは、前記Ｍ２ＭデバイスのＩＤであり、ｃｏｕｎｔｅｒ  ｖａｌｕｅは、前記非正常的パワーダウンシグナリングヘッダを受信するフレームナンバのカウンタ値であり、シグナリングヘッダカウントは、前記非正常的パワーダウンシグナリングヘッダのコンデンツであり、前記ＣＭＡＣ値のサイズが１６であることを特徴とする請求項２に記載の方法。
【請求項８】
前記非正常的パワーダウンシグナリングヘッダは、
０ｂ００１０に設定されたフロー識別子を指示する４ビットと、前記Ｍ２Ｍデバイスのステーション識別子と、
前記非正常的パワーダウンシグナリングヘッダの長さを指示する３ビットと、
前記ステーション識別子がＭ２Ｍデバイスのみに割り当てられる場合、ゼロに設定されたステーション識別子オフセット、及び
イマージェンシタイプが停電であると、‘０ｂ１’に設定されるイマージェンシタイプを指示する１ビットを含むことを特徴とする請求項２に記載の方法。
【請求項９】
無線通信システムにおける制御情報を受信する方法であって、
Ｍ２Ｍデバイスから暗号化メッセージ認証コード（ＣＭＡＣ）に基づいて保護された制御情報を受信するステップと、
前記制御情報から獲得された値に基づいて生成されたキーを使用して前記制御情報を認証するステップとを含むことを特徴とする方法。
【請求項１０】
前記制御情報は、非正常的パワーダウンシグナリングヘッダであることを特徴とする請求項９に記載の方法。
【請求項１１】
前記キーを生成するステップは、フレームナンバに対するロールオーバカウンタ（ＲＯＣ）の８ビットのうち３最下位ビット（ＬＳＢ）を使用して前記キーを生成するステップを含むことを特徴とする請求項１０に記載の方法。
【請求項１２】
前記ＣＭＡＣに基づいて生成された同一キーを使用してフレーム当り送信された一つの非正常的パワーダウンシグナリングヘッダを認証するステップをさらに含むことを特徴とする請求項１０に記載の方法。
【請求項１３】
前記値は、
前記非正常的パワーダウンシグナリングヘッダが保護されるか否かを指示する１ビットと、前記非正常的パワーダウンシグナリングヘッダを受信したフレームナンバのカウンタを指示する３ビットと、前記ＣＭＡＣを指示する第３のフィールドを含むことを特徴とする請求項１０に記載の方法。
【請求項１４】
前記キーは、ＴＥＫプレキー、ＣＭＡＳＩＧ及び前記キーの長さに基づいてＤｏｔ１６ＫＤを使用して生成され、
前記ＴＥＫプレキーは、認証キー（ＡＫ）、前記Ｍ２Ｍデバイスの署名であるＣＭＡＣＩＧ、及び前記キーの長さ１２８ビットから導出されることを特徴とする請求項１０に記載の方法。
【請求項１５】
前記ＣＭＡＣは下記の数式によって生成され、
CMAC value = Truncate (CMAC (CMAC_SIG_KEY_U, AKID | 22 bits super frame number | 2 bits frame index | STID |FID | counter value | 16 bits zero padding | signaling header content), 16)、
ここで、ＣＭＡＣ＿ＳＩＧ＿ＫＥＹ＿Ｕは、前記キーであり、ＡＫＩＤはＡＫ識別子であり、ＦＩＤはフロー識別子であり、ＳＴＩＤは、前記Ｍ２ＭデバイスのＩＤであり、ｃｏｕｎｔｅｒ  ｖａｌｕｅは、前記非正常的パワーダウンシグナリングヘッダを受信するフレームナンバのカウンタ値であり、シグナリングヘッダカウントは、前記非正常的パワーダウンシグナリングヘッダのコンデンツであり、前記ＣＭＡＣ値のサイズが１６であることを特徴とする請求項１０に記載の方法。
【請求項１６】
前記値は、
０ｂ００１０に設定されたフロー識別子を指示する４ビットと、前記Ｍ２Ｍデバイスのステーション識別子と、
前記非正常的パワーダウンシグナリングヘッダの長さを指示する３ビットと、
前記ステーション識別子がＭ２Ｍデバイスのみに割り当てられる場合、ゼロに設定されたステーション識別子オフセット、及び
イマージェンシタイプが停電であると、‘０ｂ１’に設定されるイマージェンシタイプを指示する１ビットを含むことを特徴とする請求項１０に記載の方法。
【請求項１７】
無線通信システムにおける制御情報を送信するＭ２Ｍデバイスであって、
暗号化メッセージ認証コード（ＣＭＡＣ）に基づいて制御情報を認証するためのキーを生成する制御部と、
前記キーで保護された制御情報を送信する送信部とを含むことを特徴とするＭ２Ｍデバイス。
【請求項１８】
前記制御情報は、非正常的パワーダウンシグナリングヘッダであることを特徴とする請求項１７に記載のＭ２Ｍデバイス。
【請求項１９】
前記制御部は、
フレームナンバに対するロールオーバカウンタ（ＲＯＣ）の８ビットのうち３最下位ビット（ＬＳＢ）を使用して前記キーを生成することを特徴とする請求項１８に記載のＭ２Ｍデバイス。
【請求項２０】
前記制御部は、前記送信部が前記ＣＭＡＣに基づいて生成された同一キーを使用してフレーム当たり一つの非正常的パワーダウンシグナリングヘッダを送信するように制御することを特徴とする請求項１８に記載のＭ２Ｍデバイス。
【請求項２１】
前記非正常的パワーダウンシグナリングヘッダは、
前記非正常的パワーダウンシグナリングヘッダが保護されるか否かを指示する１ビットと、前記非正常的パワーダウンシグナリングヘッダを受信したフレームナンバのカウンタを指示する３ビットと、前記ＣＭＡＣを指示する第３のフィールドを含むことを特徴とする請求項１８に記載のＭ２Ｍデバイス。
【請求項２２】
前記キーは、ＴＥＫプレキー、ＣＭＡＳＩＧ及び前記キーの長さに基づいてＤｏｔ１６ＫＤを使用して生成され、
前記ＴＥＫプレキーは、認証キー（ＡＫ）、前記Ｍ２Ｍデバイスの署名であるＣＭＡＣＩＧ、及び前記キーの長さ１２８ビットから導出されることを特徴とする請求項１８に記載のＭ２Ｍデバイス。
【請求項２３】
前記ＣＭＡＣは下記の数式によって生成され、
CMAC value = Truncate (CMAC (CMAC_SIG_KEY_U, AKID | 22 bits super frame number | 2 bits frame index | STID |FID | counter value | 16 bits zero padding | signaling header content), 16)、
ここで、ＣＭＡＣ＿ＳＩＧ＿ＫＥＹ＿Ｕは、前記キーであり、ＡＫＩＤはＡＫ識別子であり、ＦＩＤはフロー識別子であり、ＳＴＩＤは、前記Ｍ２ＭデバイスのＩＤであり、ｃｏｕｎｔｅｒ  ｖａｌｕｅは、前記非正常的パワーダウンシグナリングヘッダを受信するフレームナンバのカウンタ値であり、シグナリングヘッダカウントは、前記非正常的パワーダウンシグナリングヘッダのコンデンツであり、前記ＣＭＡＣ値のサイズが１６であることを特徴とする請求項１８に記載のＭ２Ｍデバイス。
【請求項２４】
前記非正常的パワーダウンシグナリングヘッダは、
０ｂ００１０に設定されたフロー識別子を指示する４ビットと、前記Ｍ２Ｍデバイスのステーション識別子と、
前記非正常的パワーダウンシグナリングヘッダの長さを指示する３ビットと、
前記ステーション識別子がＭ２Ｍデバイスのみに割り当てられる場合、ゼロに設定されたステーション識別子オフセット、及び
イマージェンシタイプが停電であると、‘０ｂ１’に設定されるイマージェンシタイプを指示する１ビットを含むことを特徴とする請求項１８に記載のＭ２Ｍデバイス。
【請求項２５】
無線通信システムにおける制御情報を受信する基地局であって、
Ｍ２Ｍデバイスから暗号化メッセージ認証コード（ＣＭＡＣ）に基づいて保護された制御情報を受信する受信部と、
前記制御情報から獲得された値に基づいて生成されたキーを使用して前記制御情報を認証する制御部とを含むことを特徴とする基地局。
【請求項２６】
前記制御情報は、非正常的パワーダウンシグナリングヘッダであることを特徴とする請求項２５に記載の基地局。
【請求項２７】
前記制御部は、
フレームナンバに対するロールオーバカウンタ（ＲＯＣ）の８ビットのうち３最下位ビット（ＬＳＢ）を使用して前記キーを生成することを特徴とする請求項２６に記載の基地局。
【請求項２８】
前記制御部は、
前記ＣＭＡＣに基づいて生成された同一キーを使用してフレーム当り送信された一つの非正常的パワーダウンシグナリングヘッダを認証することを特徴とする請求項２６に記載の基地局。
【請求項２９】
前記値は、
前記非正常的パワーダウンシグナリングヘッダが保護されるか否かを指示する１ビットと、前記非正常的パワーダウンシグナリングヘッダを受信したフレームナンバのカウンタを指示する３ビットと、前記ＣＭＡＣを指示する第３のフィールドを含むことを特徴とする請求項２６に記載の基地局。
【請求項３０】
前記キーは、ＴＥＫプレキー、ＣＭＡＳＩＧ及び前記キーの長さに基づいてＤｏｔ１６ＫＤを使用して生成され、
前記ＴＥＫプレキーは、認証キー（ＡＫ）、前記Ｍ２Ｍデバイスの署名であるＣＭＡＣＩＧ、及び前記キーの長さ１２８ビットから導出されることを特徴とする請求項２６に記載の基地局。
【請求項３１】
前記ＣＭＡＣは下記の数式によって生成され、
CMAC value = Truncate (CMAC (CMAC_SIG_KEY_U, AKID | 22 bits super frame number | 2 bits frame index | STID |FID | counter value | 16 bits zero padding | signaling header content), 16)、
ここで、ＣＭＡＣ＿ＳＩＧ＿ＫＥＹ＿Ｕは、前記キーであり、ＡＫＩＤはＡＫ識別子であり、ＦＩＤはフロー識別子であり、ＳＴＩＤは、前記Ｍ２ＭデバイスのＩＤであり、ｃｏｕｎｔｅｒ  ｖａｌｕｅは、前記非正常的パワーダウンシグナリングヘッダを受信するフレームナンバのカウンタ値であり、シグナリングヘッダカウントは、前記非正常的パワーダウンシグナリングヘッダのコンデンツであり、前記ＣＭＡＣ値のサイズが１６であることを特徴とする請求項２６に記載の基地局。
【請求項３２】
前記値は、
０ｂ００１０に設定されたフロー識別子を指示する４ビットと、前記Ｍ２Ｍデバイスのステーション識別子と、
前記非正常的パワーダウンシグナリングヘッダの長さを指示する３ビットと、
前記ステーション識別子がＭ２Ｍデバイスのみに割り当てられる場合、ゼロに設定されたステーション識別子オフセット、及び
イマージェンシタイプが停電であると、‘０ｂ１’に設定されるイマージェンシタイプを指示する１ビットを含むことを特徴とする請求項２６に記載の基地局。